(57)【要約】      （修正有）【課題】服用中の薬剤名、用法・用量、処方履歴等の薬剤処方情報を容易、且つ確実に携行する印刷物を提供する。【解決手段】患者の氏名を含む患者情報、患者を診断し、診断結果に基づいて薬剤処方箋を作成した医療機関名・医師名・処方日を含む処方箋作成元情報、薬剤処方箋に基づいて薬剤を調剤した薬局名・薬剤師名を含む調剤元情報、処方箋に基づく薬剤名・調剤日・用法・用量・処方日数を含む薬剤処方情報、の各情報の内、少なくとも薬剤処方情報を有する情報コード４と、薬剤処方情報に基づく調剤料金が記載された領収書１を備え、情報コード４は、薬剤処方情報を含む各情報が光学的読取装置により読み取られる。【選択図】図１
0003175287.tif 000002
【実用新案登録請求の範囲】
【請求項１】
患者の氏名を含む患者情報、
前記患者を診断し、該診断結果に基づいて薬剤処方箋を作成した医療機関名・医師名・処方日を含む処方箋作成元情報、
前記薬剤処方箋に基づいて薬剤を調剤した薬局名・薬剤師名を含む調剤元情報、
前記処方箋に基づく薬剤名・調剤日・用法・用量・処方日数を含む薬剤処方情報、
の各情報の内、少なくとも前記薬剤処方情報を有する情報コードと、
前記薬剤処方情報に基づく調剤料金が記載された領収書を備え、
前記情報コードは、前記薬剤処方情報を含む前記各情報が光学的読取装置により読み取られるものであることを特徴とする印刷物。
【請求項２】
さらに、前記薬剤処方情報から得られた調剤報酬の明細を印刷した薬局記入紙と、
前記薬剤処方情報が少なくとも印刷された薬剤情報提供書とが一葉に印刷され、
前記情報コードを含む前記領収書と、前記薬局記入紙と、前記薬剤情報提供書が、それぞれ切り離し可能となっていることを特徴とする請求項１記載の印刷物。
【請求項３】
前記情報コードが、貼着可能なラベルであることを特徴とする請求項１または２記載の印刷物。
【請求項４】
前記印刷物に、前記情報コードを読み取ることにより、前記各情報を取り出すことができることを説明した説明部が記載されていることを特徴とする請求項１乃至３何れか１項記載の印刷物。
【請求項５】
前記情報コードが、一次元コード及び／又は二次元コードであることを特徴とする請求項１乃至４何れか１項記載の印刷物。
【請求項６】
前記光学的読取装置が、携帯電話に備えられたものであることを特徴とする請求項１乃至５何れか１項記載の印刷物。
【考案の詳細な説明】
【技術分野】
【０００１】
本考案は、光学的読取装置により読み取り可能な情報コードが記載可能な媒体に関する。
【背景技術】
【０００２】
保険調剤薬局では、医師により処方された処方箋に基づいて薬剤師が調剤した薬剤を患者に渡すようにしている。このとき、調剤された薬剤と共に、処方箋に基づく薬剤名、処方日、用法・用量、処方日数等の薬剤処方情報を記載した薬剤情報提供書、前述の薬剤処方情報の履歴を記載した「お薬手帳」と称される薬識手帳、保険点数等及びこの保険点数等に基づく調剤料金、日付、調剤薬局名等を記載した領収証等を渡すようにしている。
【０００３】
前述のような薬剤情報提供書や薬識手帳に記載されている薬剤処方情報により、患者が処方された薬剤を正しく服用することができるようになっている。また、前述の領収証に記載されている内容により、調剤料金が正しい請求額であるか、調剤料金の内の保険負担額及び自己負担額がいくらであるか、日付、調剤薬局名等が分かるようになっている。
【考案の概要】
【考案が解決しようとする課題】
【０００４】
前述の薬剤情報提供書や薬識手帳は、医師や薬剤師、更には患者自身が、薬剤名、用法・用量、処方履歴等を知るために重要な情報源であるにもかかわらず、薬剤の服用中及び薬剤の服用が終了すると捨ててしまったり、無くしてしまったりすることが多く、また、常に持ち歩くこと等も極めて少ない。また、緊急避難を要する災害に被災した場合、避難する際に服用中の薬剤や前述の薬剤情報提供書や薬識手帳を持ち出せないことも多くある。
【０００５】
そのため、患者が災害時において、患者が必要不可欠な服用中の薬剤を持ち出せないか、或いは紛失してしまった場合には、この薬剤を他の医療機関で診断の上、処方してもらう必要があるが、服用中の薬剤や処方履歴が不明であると、的確な診断及び診断に基づく適切な治療、並びに適切な薬剤処方ができないという問題がある。
【０００６】
特に、大きな災害時のように、避難後に自宅へ戻れず、薬剤も不足する限られた医療体制となる状況において前述の薬剤処方情報が極めて重要な情報なものとなる。すなわち、薬剤情報提供書や薬識手帳があれば、服用中の薬剤を処方できる可能性がある上、避難所や医療機関に服用中の薬剤がない場合でも、これに記載されている薬剤処方情報に基づいて、服用中の薬剤に代わる他の薬剤を処方することもできる。
【０００７】
なお、本考案に関連する先行技術文献の内、出願人が当該特許出願の時に知っているものがないので、開示すべき先行技術文献情報はない。
【０００８】
本考案は、このような問題に対処することを課題の一例とするものである。すなわち、服用中の薬剤名、用法・用量、処方履歴等の薬剤処方情報を容易、且つ確実に携行できること、薬剤処方情報を容易、且つ確実に携行することで、避難を伴う災害等の緊急時においても必要不可欠な薬剤を入手できること、医師が緊急時における患者の診断及び薬剤の処方を迅速、且つ確実に行うことができること、等が本考案の目的である。
【課題を解決するための手段】
【０００９】
このような目的を達成するために、本考案による印刷物は、以下の構成を少なくとも具備するものである。
【００１０】
患者の氏名を含む患者情報、前記患者を診断し、該診断結果に基づいて薬剤処方箋を作成した医療機関名・医師名・処方日を含む処方箋作成元情報、前記薬剤処方箋に基づいて薬剤を調剤した薬局名・薬剤師名を含む調剤元情報、前記処方箋に基づく薬剤名・調剤日・用法・用量・処方日数を含む薬剤処方情報、の各情報の内、少なくとも前記薬剤処方情報を有する情報コードと、前記薬剤処方情報に基づく調剤料金が記載された領収書を備え前記情報コードは、前記薬剤処方情報を含む前記各情報が光学的読取装置により読み取られるものであることを特徴とするものである。
【考案の効果】
【００１１】
このような特徴を有することで本考案は、以下の効果を奏する。すなわち、光学的読取装置により読み取られる、少なくとも薬剤処方情報が格納された情報コードが記載された印刷物としたので、服用中の薬剤名、用法・用量、処方履歴等の薬剤処方情報を容易、且つ確実に携行できる。薬剤処方情報を容易、且つ確実に携行することで、避難を伴う災害等の緊急時においても必要不可欠な薬剤を入手できるとともに、医師が緊急時における患者の診断及び薬剤の処方を迅速、且つ確実に行うことができる。
【図面の簡単な説明】
【００１２】
【図１】本考案の実施形態に係る印刷物の一例である領収証の平面図である。
【考案を実施するための形態】
【００１３】
以下に説明する印刷物は、普段から保管する可能性が高く、携行しやすいものがよい。このような印刷物としては、薬剤処方情報に基づく調剤料金が少なくとも記載された領収証と一体をなしている。
【００１４】
このような領収証は、税金の医療控除の手続き等に使用するものであるため、保管する可能性が高く、保管場所も現金や預貯金通帳等の貴重品と同じ場所である可能性が高いため、緊急時の持ち出しが容易に行えるものである。
【００１５】
また、以下に説明する印刷物は、患者自身に対して、或いは、患者自身が情報コードを読み取ることが不可能な状況である場合において第３者に対して、記載された情報コードがどのようなものであるかを説明するとともに、注意喚起を促すということから、この情報コードを読み取ることにより、前述の各情報を取り出すことができることを説明した説明部が記載されていることが好ましい。
【００１６】
また、以下に説明する情報コードは、多くの情報量を格納できること、読み取りを容易にできること、保管又は携行を容易にできること等を実現するということから、一次元コード及び／又は二次元コードであることが好ましい。尚、本考案は、この一次元コード及び二次元コードの形式を限定するものではない。
【００１７】
また、以下に説明する光学的読取装置は、情報コードの読み取りを場所や時間等の制限がなく行い、しかも、読み取った情報を保存して携行できるようにするということから、携帯電話に備えられたものであることが好ましい。
【００１８】
この光学的読取装置は、前述の一次元コード及び二次元コードを読み取り可能なバーコードリーダーが挙げられ、携帯電話に備えられたものの他、パーソナルコンピュータ等の端末に接続するものであってもよい。
【００１９】
以下、本考案の実施形態に係る印刷物の一例を図面に基づいて説明する。尚、印刷物の形態については、例示するレイアウトや種類に限るものではない。
【００２０】
図１において、領収証１として、調剤薬局、或いは医療機関から発行される調剤料金等が記載され、薬剤情報提供書２には、処方された薬剤の内容等が記載され、薬局記入紙３には、医療機関から発行された処方箋に基づいて、薬局が調剤報酬の点数等の明細が記載され、これらが、一葉の用紙Ａ上に印刷されている。
【００２１】
印刷物Ａは、医療機関や調剤薬局で使用されているレセプトコンピュータ（図示せず）によって入力・計算されたデータをプリントアウトしたものであり、領収証１と、薬剤情報提供書２と、薬局記入紙３とを夫々切り離しできるようにミシン目Ａ１が設けられている。
【００２２】
このような印刷物Ａは、薬局において患者に薬剤を渡す際に、領収証１と、薬剤情報提供書２と、薬局記入紙３とを夫々切り離し、薬局記入紙３を薬局が保存し、領収証１と薬剤情報提供書２とを患者に渡すようになっている。領収証１は、そのまま患者に渡し、薬剤情報提供書２は、薬識手帳（図示せず）に貼り付けて、或いはそのまま患者に渡すようになっている。
【００２３】
領収証１は、医療控除の証明書として使用できる書式に基づいて入力・計算された各データが印刷され、更に、薬剤情報提供書２に記載された内容が格納され、この内容が光学的読取装置を備えた携帯電話（図示せず）によって読み取られる情報コード４及びこの情報コード４を読み取ることにより、薬剤情報提供書２の情報を読み取ることができることを説明した説明部５が印刷により記載されている。
【００２４】
情報コード４は、ＱＲコード（株式会社デンソーウェーブの登録商標（第4075066号））のような比較的多くの情報量を格納できる二次元コードであり、前述のレセプトコンピュータの記憶装置に記憶された二次元コード作成プログラムによって、薬剤情報提供書２に記載された内容に基づいて自動的に作成されるようになっている。
【００２５】
このような情報コード４によると、例えば、光学的読取装置を備えた携帯電話で読み取ることで、この携帯電話の画面に前述の薬剤処方情報の内容を出力することができる。また、読み取った薬剤処方情報を携帯電話の記憶装置に記憶することで、記憶した薬剤処方情報を携行できるとともに、この薬剤処方情報の内容をいつでも携帯電話の画面に出力することができる。
【００２６】
また、情報コード４を前述のＱＲコードのような、小さな面積で多くの情報を格納できる二次元コードにすることによって、領収証１のような限られた面積の印刷物にも、薬剤処方情報を格納した情報コード４を印刷することができる。
【００２７】
また、情報コード４は、薬剤情報提供書２に記載された内容に加えて、患者情報、医療機関名・医師名・作成日を含む処方箋作成元情報、処方箋に基づいて薬剤を調剤した医療機関名、薬局名・薬剤師名、調剤日を含む調剤元情報等の一つ以上の情報を格納してもよい。
【００２８】
例示する領収証１は、２個の情報コード４が印刷されたものとしているが、この情報コード４の個数は、薬剤情報提供書２に記載された内容の情報量に対応して増減されるものである。
【００２９】
説明部５は、医療機関又は調剤薬局が作成し、レセプトコンピュータの記憶装置に記憶された文章であり、印刷物Ａをプリントアウトする際に印刷されるようになっている。この文章は、患者に向けて説明する内容、或いは患者に加えて第３者にも向けて説明する内容のいずれでもよく、情報コード４を携帯電話等で薬剤情報提供書２の情報を読み取ることができるということが理解できる内容であればよい。
【００３０】
領収証１は、医療控除に使用できるため保管する可能性が最も高く、しかも、常時携行する財布に入れて持ち歩くことも容易にできるので、この領収証１に情報コード４を記載したことによって、災害等による緊急時において、患者が処方された薬剤の薬剤処方情報を容易に携行及び持ち出しができる。
【００３１】
また、情報コード４を光学的読取装置が備えられた携帯電話で読み取ることによって、読み取った情報コード４に格納された薬剤処方情報の内容を携帯電話の画面に出力することができるので、領収証１があれば、患者に必要な薬剤の薬剤処方情報を容易に確認することができる。
【００３２】
また、情報コード４が記載された領収証１を携行していれば、患者本人が携帯電話を持っていない場合や、怪我等で患者本人が携帯電話を使用できない場合でも、説明部５の内容を第３者に読んでもらうことによって、この第３者に情報コード４を光学的読取装置を備えた携帯電話で読み取らせることができるため、患者本人以外の第３者によっても、患者本人に必要な薬剤の薬剤処方情報を容易に確認することができる。
【００３３】
また、読み取った薬剤処方情報を携帯電話の記憶装置に記憶することによって、薬剤処方情報を容易に携行することができるとともに、領収証１がない場合でも、この薬剤処方情報をいつでも携帯電話の画面に出力することができる。
【００３４】
前述の携帯電話は、財布と同様に常時携行する可能性が極めて高いものであるとともに、現在では、所持率が極めて高く、誰もが所持している可能性が高いものであり、しかも、光学的読取装置や読み取った薬剤処方情報の保存する記憶装置を備えているものであって、その上、情報コード４を読み取ること、読み取った薬剤処方情報を保存するとともに、薬剤処方情報の出力を、場所を選ばず、且つ容易に行えるものである。
【００３５】
すなわち、携帯電話は、災害等の緊急時において情報コード４を読み取るための前述の光学的読取装置として、読み取った薬剤処方情報を保存するとともに、出力するための装置として最適なものであって、領収証１及び薬剤情報提供書２が発行される毎に、領収証１に記載された情報コード４を携帯電話で読み取って保存することによって、領収証１及び薬剤情報提供書２がなくても、最新の薬剤処方情報をいつでも出力できるように携行することができる。
【００３６】
また、情報コード４は、貼着可能なラベルに印刷されたものとすると、患者が手帳等に貼付して携行することが出来る。
【００３７】
尚、本考案は、例示した実施の形態に限定するものではなく、実用新案登録請求の範囲の各項に記載された内容から逸脱しない範囲の構成による実施が可能である。
【符号の説明】
【００３８】
１：領収証(印刷物)
４：情報コード
５：説明部
【図１】
0003175287.tif 000003
【手続補正書】
【提出日】平成24年3月7日(2012.3.7)
【手続補正１】
【補正対象書類名】実用新案登録請求の範囲
【補正対象項目名】全文
【補正方法】変更
【補正の内容】
【実用新案登録請求の範囲】
【請求項１】
患者の氏名を含む患者情報、
前記患者を診断し、該診断結果に基づいて薬剤処方箋を作成した医療機関名・医師名・処方日を含む処方箋作成元情報、
前記薬剤処方箋に基づいて薬剤を調剤した薬局名・薬剤師名を含む調剤元情報、
前記処方箋に基づく薬剤名・調剤日・用法・用量・処方日数を含む薬剤処方情報、
の各情報の内、少なくとも前記薬剤処方情報を有し、且つ前記薬剤処方情報を含む前記各情報が光学的読取装置により読み取られる情報コードと、前記情報コード及び前記薬剤処方情報に基づく調剤料金が記載された領収書と、
前記薬剤処方情報から得られた調剤報酬の明細を印刷した薬局記入紙と、
前記薬剤処方情報が少なくとも印刷された薬剤情報提供書とが一葉に印刷され、
前記領収書、前記薬局記入紙、前記薬剤情報提供書の内、少なくとも前記領収書が切り離し可能となっていることを特徴とする印刷物。
【請求項２】
前記情報コードが、貼着可能なラベルであることを特徴とする請求項１記載の印刷物。
【請求項３】
前記印刷物に、前記情報コードを読み取ることにより、前記各情報を取り出すことができることを説明した説明部が記載されていることを特徴とする請求項１又は２記載の印刷物。
【請求項４】
前記情報コードが、一次元コード及び／又は二次元コードであることを特徴とする請求項１乃至３何れか１項記載の印刷物。
【請求項５】
前記光学的読取装置が、携帯電話に備えられたものであることを特徴とする請求項１乃至４何れか１項記載の印刷物。
【手続補正２】
【補正対象書類名】明細書
【補正対象項目名】００１０
【補正方法】変更
【補正の内容】
【００１０】
患者の氏名を含む患者情報、前記患者を診断し、該診断結果に基づいて薬剤処方箋を作成した医療機関名・医師名・処方日を含む処方箋作成元情報、前記薬剤処方箋に基づいて薬剤を調剤した薬局名・薬剤師名を含む調剤元情報、前記処方箋に基づく薬剤名・調剤日・用法・用量・処方日数を含む薬剤処方情報、の各情報の内、少なくとも前記薬剤処方情報を有し、且つ前記薬剤処方情報を含む前記各情報が光学的読取装置により読み取られる情報コードと、前記情報コード及び前記薬剤処方情報に基づく調剤料金が記載された領収書と、前記薬剤処方情報から得られた調剤報酬の明細を印刷した薬局記入紙と、前記薬剤処方情報が少なくとも印刷された薬剤情報提供書とが一葉に印刷され、前記領収書、前記薬局記入紙、前記薬剤情報提供書の内、少なくとも前記領収書が切り離し可能となっていることを特徴とするものである。